(57)【要約】【課題】本発明は、画質の劣化を防止できるファクシミリ装置を提供することを目的とする。【解決手段】本発明のファクシミリ装置は、送信原稿幅が受信側から通知される受信記録紙幅より大きいときは、あるいは送信側選択線密度が受信側から通知される受信側記録可能線密度より細かいとき、または写真モードのときは、メモリ送信から直接送信に切り換える。【選択図】　　　　図３
2004104538.tif 000002
【特許請求の範囲】
【請求項１】
メモリ送信に設定され、送信原稿幅が受信記録紙幅より大きいとき自動的に縮小送信するファクシミリ装置において、
送信原稿幅が受信側から通知される受信記録紙幅より大きいとき、メモリ送信から直接送信に切り換えることを特徴とするファクシミリ装置。
【請求項２】
メモリ送信に設定され、送信側選択線密度が受信側記録可能線密度より細かいとき自動的に線密度変換するファクシミリ装置において、
送信側選択線密度が受信側から通知される受信側記録可能線密度より細かいとき、メモリ送信から直接送信に切り換えることを特徴とするファクシミリ装置。
【請求項３】
送信原稿幅が受信側から通知される受信記録紙幅より大きいとき、あるいは送信側選択線密度が受信側から通知される受信側記録可能線密度より細かいとき、送信操作時に警告を発してからメモリ送信から直接送信に切り換える請求項１又は２に記載のファクシミリ装置。
【請求項４】
送信原稿幅が受信側から通知される受信記録紙幅より大きいとき、あるいは送信側選択線密度が受信側から通知される受信側記録可能線密度より細かいとき、送信操作時にメモリ送信と直接送信の選択画面を表示し、選択された送信モードで送信する請求項１又は２に記載のファクシミリ装置。
【請求項５】
メモリ送信に設定され、送信側選択線密度が受信側記録可能線密度より細かいとき自動的に線密度変換するファクシミリ装置において、
写真モードのときのみメモリ送信から直接送信に切り換えることを特徴とするファクシミリ装置。
【請求項６】
写真モードのとき、送信操作時にメモリ送信と直接送信の選択画面を表示し、選択された送信モードで送信する請求項５記載のファクシミリ装置。
【発明の詳細な説明】
【０００１】
【発明の属する技術分野】
本発明はファクシミリ装置に関し、詳細にはファクシミリ通信における送信方法の選択に関する。
【０００２】
【従来の技術】
【特許文献１】特開平９−２６１４５５号公報
【特許文献２】特開平９−５５８５２号公報
従来よりファクシミリ装置の送信方法を選択する提案の一つとして上記特許文献１がある。この特許文献１によれば、読み取り時に複数のアルゴリズムで同時に画像処理した後、２値画像データに変換し、送信時送信先の機能に応じて処理した画像データの１つを選択して送信する。
【０００３】
また、別の提案としての上記特許文献２では、受信画像サイズが記録サイズより大きいとき、単純２値画像のときは単純縮小し、擬似中間調２値画像のときは多値画像データに変換し縮小して２値化する。
【０００４】
【発明が解決しようとする課題】
しかしながら、上記特許文献１によれば、自機が低機能機の場合は良いが自機が高機能機の場合、同時処理のため回路規模が大きくなる。あるいは、多値データのための大容量メモリが必要になる。または、十分な組み合わせのアルゴリズムを持たないと自機と受信機の最高能力を引き出せない組み合わせが発生してしまう可能性がある。また２値画像のメモリを大量に必要とする。また、上記特許文献２によれば、受信側での処理のため、本機能を備えない受信機に送信する場合には解決にならない。また多値画像変換回路が必要となる。
【０００５】
更に、メモリ送信は読み取った多値画像を２値化し符号化して記憶する。その後、相手機に発呼して相手機の記録紙サイズの通知を受け、送信側が読み取った画像の幅が受信側に用意された記録紙サイズより大きい場合には自動的に縮小して送信する。このとき符号データを複合化し２値の源データに戻して変倍処理するので画像が劣化する。
【０００６】
本発明はこれらの問題点を解決するためのものであり、画質の劣化を防止できるファクシミリ装置を提供することを目的とする。
【０００７】
【課題を解決するための手段】
前記問題点を解決するために、本発明のファクシミリ装置は、メモリ送信に設定され、送信原稿幅が受信記録紙幅より大きいとき自動的に縮小送信するが、送信原稿幅が受信側から通知される受信記録紙幅より大きいときは、メモリ送信から直接送信に切り換える。よって、直接送信の場合は読取前に受信機の記録紙サイズが通知されて読取時に変倍が必要かどうかわかるので多値データでの変倍が可能となり画質の劣化を抑えることができる。
【０００８】
また、別の発明のファクシミリ装置では、送信側選択線密度が受信側から通知される受信側記録可能線密度より細かいときメモリ送信から直接送信に切り換える。よって、多値データでの線密度変換が可能となり画質の劣化を抑えることができる。
【０００９】
更に、送信原稿幅が受信側から通知される受信記録紙幅より大きいとき、あるいは送信側選択線密度が受信側から通知される受信側記録可能線密度より細かいとき、送信操作時に警告を発してからメモリ送信から直接送信に切り換えることにより、メモリ送信で送ると画質劣化が予測されるとき、送信操作者に直接送信で送信することをブザー等の警告で通知することができる。
【００１０】
また、送信原稿幅が受信側から通知される受信記録紙幅より大きいとき、あるいは送信側選択線密度が受信側から通知される受信側記録可能線密度より細かいとき、送信操作時にメモリ送信と直接送信の選択画面を表示し、選択された送信モードで送信する。よって、メモリ送信で送ると画質劣化が予測されるとき、メモリ送信と直接送信を選択可能にする。
【００１１】
更に、別の発明としてのファクシミリ装置によれば、写真モードのときのみメモリ送信から直接送信に切り換える。よって、写真モードでメモリ送信を行うとき、原稿幅と記録紙幅が不一致の場合で２値変倍を行うと著しい画質劣化が予測される。あるいは、送信側選択線密度と受信側記録可能線密度が不一致の場合で２値線密度変換を行うと著しい画質劣化が予測される。そこで、送信操作者に直接送信で送信することを通知のうえ直接送信で送信することで画質の劣化を防ぐことができる。
【００１２】
また、写真モードのとき、送信操作時にメモリ送信と直接送信の選択画面を表示し、選択された送信モードで送信することにより、メモリ送信で送信すると画質の劣化が予測されるときそれでもメモリ送信で送信する必要がある場合に備え送信方法を選択できるようにする。
【００１３】
【発明の実施の形態】
本発明のファクシミリ装置は、送信原稿幅が受信側から通知される受信記録紙幅より大きいときは、あるいは送信側選択線密度が受信側から通知される受信側記録可能線密度より細かいとき、または写真モードのときは、メモリ送信から直接送信に切り換える。
【００１４】
【実施例】
図１は本発明の一実施例に係るファクシミリ装置の概略構成を示すブロック図である。同図において、本実施例のファクシミリ装置１０は、読取部１１、記録部１２、操作表示部１３、画像処理部１４、圧縮再生部１５、記憶部１６、システム制御部１７、モデム１８、ＮＣＵ（網制御部）１９を含んで構成されて各々内部バス２０を介して接続されている。なおＮＣＵ１９は公衆回線網に接続されてファクシミリ通信を行うことができるようになっている。また、画像処理部１４には、多値変倍手段１４−１、多値線密度変換手段１４−２、２値変倍手段１４−３、２値線密度変換手段１４−４を有している。そして、読取部１１はＩＴＵ−Ｔの標準以上の読取幅を読み取ることができ、同標準以上の線密度で読み取ることができる。読取部１１は原稿サイズを検出する図示しないセンサを具備している。操作表示部１３は図示しない送信線密度設定スイッチ、写真モード設定スイッチ、直接送信選択スイッチ、ブザー、及びＬＣＤ表示部を具備している。ブザーは警告音を鳴らす。ＬＣＤ表示部はメモリ送信から直接送信に切り換えることを表示すると共に、他の実施例としては送信操作者にメモリ送信か直接送信の選択を促すメッセージを表示する。圧縮再生部１５は２値データの圧縮再生を行う。
【００１５】
図２は本実施例のファクシミリ装置における画像データの流れを示す図である。
本実施例のファクシミリ装置の送信方法は直接送信とメモリ送信があり、通常はメモリ送信に設定されている。直接送信を行いたいときは直接送信ボタンを選択する。メモリ送信の場合、原稿の排出が送信の終了より早く終わるので、送信操作者は送信終了前に原稿を持ち帰ることができ操作性が良い。直接送信の場合、読取手段で読み取られた多値画像データは暗出力補正やシェーディングなどの画像前処理が行われ必要に応じて多値変倍、多値線密度変換が行われる。写真モードが選ばれているときは所定のアルゴリズムで写真処理が行われ、２値化され２値画像データを形成する。写真モードの処理アルゴリズムには誤差拡散、ディザマトリクスが備えられ、どちらかが選択できるようになっている。どちらにしても、２値の変倍、あるいは密度変換を行うと写真画像処理のアルゴリズムを破壊してしまうので著しい画質の劣化を招いてしまう。直接送信の場合は記録可能幅、線密度などの受信能力がわかるので、これから送信する原稿幅が受信側の記録可能幅より広い場合には多値変倍を行い、送信操作者が選択した線密度が受信側の記録可能線密度より細かい場合には多値線密度変換を行う。その後圧縮し、記憶手段に記憶させながら変調し送信する。メモリ送信の場合は読取時に受信能力がわからないので、原稿サイズ、指定線密度に従って２値化し、圧縮し記憶手段に記憶する。送信するときにはプロトコルによって受信側からの受信能力が通知される。記憶された画情報の原稿幅が受信側の記録可能幅より広い場合には再生し２値変倍を行い、送信操作者が選択した線密度が受信側の記録可能線密度より細かい場合には２値線密度変換を行う。再び圧縮し記憶手段に記憶しながら変調し送信する。
【００１６】
図３は本実施例のファクシミリ装置における第１の動作例を示すフローチャートである。同図において、先ずオペレータは原稿をセットし（ステップＳ１０１）、宛先入力を行う（ステップＳ１０２）。オペレータから写真モードの指定と線密度の指定が入力され（ステップＳ１０３）、送信開始指示が入力される（ステップＳ１０４）。変倍、線密度変換が必要になる可能性の判断を行い（ステップＳ１０５）、可能性が有る場合は（ステップＳ１０５；ＮＯ）送信操作者にブザーにより警告を通知する（ステップＳ１０６）。その後直接送信を行うために、発呼して上で受信能力を確認し（ステップＳ１０７，Ｓ１０８）、送信条件を受信能力に設定する（ステップＳ１０９）。画像読み取り、そして送信を行い（ステップＳ１１０）、必要に応じて多値変倍、密度変換を行う（ステップＳ１１１）。画像読み取り、送信が終了するまで繰り返す（ステップＳ１１２）。一方ステップＳ１０５で変倍、線密度変換が必要になる可能性が無い場合は（ステップＳ１０５；ＹＥＳ）そのままメモリ送信で送信する（ステップＳ１１３〜Ｓ１１７）。変倍、線密度変換が必要になる可能性の判断は送信先が初めての送信先の場合はＩＴＵ−Ｔ　Ｇ３標準であるＡ４、８＊３．８５ｍｍ／ｌｉｎｅの時不要と判断し、それより幅が広いとき、あるいは線密度が細かいときに必要になる可能性有りと判断する。送信先が２回目以降の送信先である場合には過去の通信履歴より判断する。この場合、ファクシミリ装置が変わった、記録紙が無くなったなどの受信側の状態が変わってしまっている場合もあるので、受信能力を確認し必要であれば２値変倍、２値密度変換を行い（ステップＳ１１８）、送信を行う（ステップＳ１１９）。よって、直接送信の場合は読取前に受信機の記録紙サイズが通知されて読取時に変倍が必要かどうかわかるので多値データでの変倍が可能となり画質の劣化を抑えることができる。
【００１７】
図４は本実施例のファクシミリ装置における第２の動作例を示すフローチャートである。同図において、図３の第１の動作例との違いは、変倍、密度変換の可能性を判断で可能性有りと判断された場合ステップＳ２０５で示すようにＬＣＤ表示部に送信方法選択画面を表示しステップＳ２０６でメモリ送信を選択できるようになっている。例えば、時刻指定送信など送信操作者が画質の劣化より優先する機能と判断するとき、メモリ送信が選択できるようになっている。よって、メモリ送信で送ると画質劣化が予測されるとき、メモリ送信と直接送信を選択可能にする。
【００１８】
図５は本実施例のファクシミリ装置における第３の動作例を示すフローチャートである。同図において、第２の動作例との違いは、送信開始指示入力の後、ステップＳ３０５で写真モードか否かを判定し、写真モードの場合（ステップＳ３０５；ＹＥＳ）のみ変倍、密度変換の可能性判断を行う（ステップＳ３０６）ようにしている。更に、変倍、密度変換の可能性がある場合（ステップＳ３０６；ＮＯ）には警告を通知して（ステップＳ３０７）から送信方法選択画面を表示している（ステップＳ３０８）。よって、写真モードでメモリ送信を行うとき、原稿幅と記録紙幅が不一致の場合で２値変倍を行うと著しい画質劣化が予測されるので、写真モードの場合送信操作者に直接送信で送信することを通知のうえ直接送信で送信することで画質の劣化を防ぐことができる。
【００１９】
なお、本発明は上記実施例に限定されるものではなく、特許請求の範囲内の記載であれば多種の変形や置換可能であることは言うまでもない。
【００２０】
【発明の効果】
以上説明したように、本発明のファクシミリ装置は、メモリ送信に設定され、送信原稿幅が受信記録紙幅より大きいとき自動的に縮小送信するが、送信原稿幅が受信側から通知される受信記録紙幅より大きいときは、メモリ送信から直接送信に切り換える。よって、直接送信の場合は読取前に受信機の記録紙サイズが通知されて読取時に変倍が必要かどうかわかるので多値データでの変倍が可能となり画質の劣化を抑えることができる。
【００２１】
また、別の発明のファクシミリ装置では、送信側選択線密度が受信側から通知される受信側記録可能線密度より細かいときメモリ送信から直接送信に切り換える。よって、多値データでの線密度変換が可能となり画質の劣化を抑えることができる。
【００２２】
更に、送信原稿幅が受信側から通知される受信記録紙幅より大きいとき、あるいは送信側選択線密度が受信側から通知される受信側記録可能線密度より細かいとき、送信操作時に警告を発してからメモリ送信から直接送信に切り換えることにより、メモリ送信で送ると画質劣化が予測されるとき、送信操作者に直接送信で送信することをブザー等の警告で通知することができる。
【００２３】
また、送信原稿幅が受信側から通知される受信記録紙幅より大きいとき、あるいは送信側選択線密度が受信側から通知される受信側記録可能線密度より細かいとき、送信操作時にメモリ送信と直接送信の選択画面を表示し、選択された送信モードで送信する。よって、メモリ送信で送ると画質劣化が予測されるとき、メモリ送信と直接送信を選択可能にする。
【００２４】
更に、別の発明としてのファクシミリ装置によれば、写真モードのときのみメモリ送信から直接送信に切り換える。よって、写真モードでメモリ送信を行うとき、原稿幅と記録紙幅が不一致の場合で２値変倍を行うと著しい画質劣化が予測される。あるいは、送信側選択線密度と受信側記録可能線密度が不一致の場合で２値線密度変換を行うと著しい画質劣化が予測される。そこで、送信操作者に直接送信で送信することを通知のうえ直接送信で送信することで画質の劣化を防ぐことができる。
【００２５】
また、写真モードのとき、送信操作時にメモリ送信と直接送信の選択画面を表示し、選択された送信モードで送信することにより、メモリ送信で送信すると画質の劣化が予測されるときそれでもメモリ送信で送信する必要がある場合に備え送信方法を選択できるようにする。
【図面の簡単な説明】
【図１】本発明の一実施例に係るファクシミリ装置の概略構成を示すブロック図である。
【図２】本実施例のファクシミリ装置における画像データの流れを示す図である。
【図３】本実施例のファクシミリ装置における第１の動作例を示すフローチャートである。
【図４】本実施例のファクシミリ装置における第２の動作例を示すフローチャートである。
【図５】本実施例のファクシミリ装置における第３の動作例を示すフローチャートである。
【符号の説明】
１０；ファクシミリ装置、１１；読取部、１２；記録部、
１３；操作表示部、１４；画像処理部、１４−１；多値変倍手段、
１４−２；多値線密度変換手段、１４−３；２値変倍手段、
１４−４；２値線密度変換手段、１５；圧縮再生部、１６；記憶部、
１７；システム制御部、１８；モデム、１９；ＮＣＵ、２０；内部バス。
【図１】
2004104538.tif 000003
【図２】
2004104538.tif 000004
【図３】
2004104538.tif 000005
【図４】
2004104538.tif 000006
【図５】
2004104538.tif 000007